(57)【要約】    【課題】灌水作業性を向上できる灌水堰き止め用フェンスを、提供すること。    【解決手段】土壌に植えられた植物１１０に注がれた水１２０を、植物の根元１１１周囲の土壌表面で堰き止めるように、機能する、灌水堰き止め用フェンス１である。フェンス１は、植物の根元を囲むように輪状形態に変形可能な長尺の板体からなる、フェンス本体２と、フェンス本体２を輪状に維持するための、留め具３と、を備えており、フェンス本体２は、長手方向に連続して波打っている波打形態を有しており、長手方向両端部を重ね合わせるように変形することによって輪状形態を具現するようになっており、留め具３は、フェンス本体２の長手方向両端部の重ね合わせ部分２０を、挟持するようになっている。【選択図】図７
2020054293.tif 000002
【特許請求の範囲】
【請求項１】
土壌に植えられた植物に注がれた水を、前記植物の根元近傍の土壌表面で堰き止めるように、機能する、灌水堰き止め用フェンスであって、
前記植物の根元を囲むように輪状形態に変形可能な長尺の板体からなる、フェンス本体と、
前記フェンス本体を輪状に維持するための、留め具と、
を備えており、
前記フェンス本体は、長手方向に連続して波打っている波打形態を有しており、長手方向両端部を重ね合わせるように変形することによって輪状形態を具現するようになっており、
前記留め具は、前記フェンス本体の前記長手方向両端部の重ね合わせ部分を、挟持するようになっている、
ことを特徴とする灌水堰き止め用フェンス。
【請求項２】
前記留め具は、ヘアピン状の挟持ピンであり、折り曲げ部と、前記折り曲げ部から延びた第１脚部及び第２脚部と、からなっており、前記折り曲げ部の復元力によって前記第１脚部と前記第２脚部とを挟持方向に付勢するようになっており、前記第１脚部と前記第２脚部とによって、両脚部の間に挿入された対象物を、挟持するようになっており、
前記第１脚部は、前記折り曲げ部から延びた第１直線部と、該第１直線部に続いて反挟持方向に張り出した張出部と、該張出部に続く第２直線部と、該第２直線部に続いて挟持方向に延びた引掛部と、からなっており、
前記第２脚部は、前記折り曲げ部から延びた直線本体部と、該直線本体部に続いて反挟持方向に延びた傾斜部と、からなっており、
前記引掛部と前記傾斜部との間には、前記フェンス本体の前記重ね合わせ部分の縁部を挿入可能な隙間が、構成されている、
請求項１記載の灌水堰き止め用フェンス。
【請求項３】
土壌に植えられた植物に注がれた水を、前記植物の根元近傍の土壌表面で堰き止める、灌水堰き止め方法であって、
前記植物の根元近傍の土壌表面に前記根元を囲むように灌水堰き止め用フェンスを配置する工程を、有しており、
前記フェンスが、長尺の板体からなるフェンス本体を、長手方向両端部を重ね合わせるように変形することによって輪状形態に変形させるとともに、前記長手方向両端部の重ね合わせ部分を留め具で挟持して輪状形態を維持することによって、作られている、
ことを特徴とする、灌水堰き止め方法。
【発明の詳細な説明】
【技術分野】
【０００１】
本発明は、植物への灌水を堰き止める、フェンス及び方法に、関する。
【背景技術】
【０００２】
従来では、例えば、図９に示されるように、畝１００に植えられた植物１１０に水を注ぐと、その水（灌水）１２０の大部分は、植物１１０の根元１１１近傍から周辺に向けて土壌表面１０１を流れ去ってしまっていた。
【先行技術文献】
【特許文献】
【０００３】
【特許文献１】特開２０１７−７９６６４号公報
【発明の概要】
【発明が解決しようとする課題】
【０００４】
上記従来の場合においては、植物１１０の根に十分な量の水を届けるために根元１１１近傍の土壌に十分な量の水を吸収させようとすると、多量の水を必要としていた。そのため、灌水作業性ひいては生産性が悪かった。
【０００５】
本発明は、灌水作業性を向上できる、灌水堰き止め用フェンス及び灌水堰き止め方法を、提供することを目的としている。
【課題を解決するための手段】
【０００６】
本発明の第１態様は、土壌に植えられた植物に注がれた水を、前記植物の根元周囲の土壌表面で堰き止めるように、機能する、灌水堰き止め用フェンスであって、前記植物の根元を囲むように輪状形態に変形可能な長尺の板体からなる、フェンス本体と、前記フェンス本体を輪状に維持するための、留め具と、を備えており、前記フェンス本体は、長手方向に連続して波打っている波打形態を有しており、長手方向両端部を重ね合わせるように変形することによって輪状形態を具現するようになっており、前記留め具は、前記フェンス本体の前記長手方向両端部の重ね合わせ部分を、挟持するようになっている、ことを特徴としている。
【０００７】
本発明の第２態様は、土壌に植えられた植物に注がれた水を、前記植物の根元周囲の土壌表面で堰き止める、灌水堰き止め方法であって、前記植物の根元近傍の土壌表面に前記根元を囲むように灌水堰き止め用フェンスを配置する工程を、有しており、前記フェンスが、長尺の板体からなるフェンス本体を、長手方向両端部を重ね合わせるように変形することによって輪状形態に変形させるとともに、前記長手方向両端部の重ね合わせ部分を留め具で挟持して輪状形態を維持することによって、作られている、ことを特徴としている。
【発明の効果】
【０００８】
本発明によれば、植物に注いだ水を植物の根元近傍の土壌表面で堰き止めることができるので、根元近傍の土壌に十分な量の水を吸収させことを、少量の水で実現できる。したがって、灌水作業性ひいては生産性を向上できる。
【図面の簡単な説明】
【０００９】
【図１】本発明の一実施形態の灌水堰き止め用フェンスを使用した様子を示す斜視図である。
【図２】フェンスの全体斜視図である。
【図３】図２のIII矢視拡大図である。
【図４】図２のIV矢視拡大図である。
【図５】留め具の正面図である。
【図６】組立作業の一工程の様子を示す斜視拡大部分図である。
【図７】フェンスを使用した様子を示す斜視図である。
【図８】留め具の別の例を示す正面図である。
【図９】従来の灌水の様子を示す斜視図である。
【発明を実施するための形態】
【００１０】
図１は、本発明の一実施形態の灌水堰き止め用フェンスを使用した様子を示す斜視図である。このフェンス１は、畝１００に植えられた植物１１０の根元１１１近傍に設置されて、植物１１０の根元１１１を囲んでいる。フェンス１は、その下部が畝１００の土壌に挿し込まれた状態で、設置されている。なお、本発明において、「植物」とは、農作物等を含む概念である。
【００１１】
図２は、フェンス１の全体斜視図である。図３は、図２のIII矢視拡大図である。図４は、図２のIV矢視拡大図である。フェンス１は、フェンス本体２と、留め具３と、からなっている。
【００１２】
フェンス本体２は、輪状形態に変形可能な長尺の板体からなっている。板体は、長手方向に連続して波打っている波打形態を有しており、長手方向両端部２１、２２を重ね合わせるように変形することによって輪状形態を具現するようになっている。フェンス本体２の長手方向の寸法Ｌは、フェンス１によって囲む領域Ａの広さに応じて、適宜設定される。領域Ａの広さ及びフェンス本体２の高さ方向の寸法Ｈ１は、植物１１０の種類に応じて、適宜設定される。例えば、領域Ａは、植物１１０の根の広がりと平面視で重なる程度の広さに、設定される。
【００１３】
図５は、留め具３の正面図である。留め具３は、フェンス本体２の長手方向両端部２１、２２の重ね合わせ部分２０を、両面側から挟持するようになっている。具体的には、留め具３は、ヘアピン状の挟持ピンであり、折り曲げ部３１と、折り曲げ部３１から延びた第１脚部３２及び第２脚部３３と、からなっている。留め具３は、折り曲げ部３１の復元力によって第１脚部３２と第２脚部３２とを挟持方向Ｘ１に付勢するようになっており、第１脚部３２と第２脚部３３とによって、両脚部３２、３３の間に挿入された対象物を、挟持するようになっている。
【００１４】
第１脚部３２は、折り曲げ部３１から延びた第１直線部３２１と、第１直線部３２１に続いて反挟持方向Ｘ２に張り出した張出部３２２と、張出部３２２に続く第２直線部３２３と、第２直線部３２３に続いて挟持方向Ｘ１に延びた引掛部３２４と、からなっている。張出部３２２は、第１脚部３２の一部が反挟持方向Ｘ２に向けて膨らむように湾曲することによって、形成されている。
【００１５】
第２脚部３３は、折り曲げ部３１から延びた直線本体部３３１と、直線本体部３３１に続いて反挟持方向Ｘ２に延びた傾斜部３３２と、からなっている。
【００１６】
引掛部３２４と傾斜部３３２との間には、フェンス本体２の重ね合わせ部分２０の縁部２０１（図６）を挿入可能な隙間３３３が、構成されている。
【００１７】
留め具３において、折り曲げ部３１の内側から引掛部３２４の内側までの長さ寸法Ｈ２は、フェンス本体２の高さ方向の寸法Ｈ１と同じ、又は、寸法Ｈ１より僅かに長く、設定されている。
【００１８】
なお、フェンス本体２は、変形させ易い観点から、樹脂製が好ましいが、金属製等でもよい。また、留め具３は、剛性の観点から、金属製が好ましいが、樹脂製等でもよい。
【００１９】
上記構成のフェンス１は、次のようにして組み立てる。
まず、フェンス本体２の長手方向両端部２１、２２を重ね合わせて、輪状形態を構成する。このとき、長手方向両端部２１、２２は、波を揃えて重ね合わせる。次に、図６に示されるように、輪状形態のフェンス本体２の重ね合わせ部分２０の下側の縁部２０１を、留め具３の隙間３３３に挿入する。そして、重ね合わせ部分２０を、縁部２０１が折り曲げ部３１の内側に当接するまで、第１脚部３２と第２脚部３２との間に挿入していく。これにより、重ね合わせ部分２０に留め具３が取り付けられ、すなわち、重ね合わせ部分２０が留め具３によって挟持される。こうして、輪状形態のフェンス１が組み立てられる。
【００２０】
上記組立作業において、重ね合わせ部分２０への留め具３の取付作業では、隙間３３３が重ね合わせ部分２０の導入機能を発揮している。よって、上記組立作業においては、留め具３の取付作業を容易に実行できる。
【００２１】
フェンス１は、図１に示されるように、植物１１０の根元１１１近傍において根元１１１を囲んだ状態で、その下部を土壌に挿し込んで、設置される。なお、フェンス１は、フェンス本体２によって植物１１０の根元１１１を囲みながら組み立てて設置してもよく、又は、別の場所で組み立てた後に設置してもよい。
【００２２】
上記構成のフェンス１を図１に示されるように使用した場合において、植物１１０に水を注ぐと、水（灌水）１２０の大部分は、図７に示されるように、フェンス１で囲まれた領域Ａにおいて土壌表面１０１に溜まる。すなわち、灌水が、植物１１０の根元１１１近傍から周囲に向けて土壌表面１０１を流れ去ってしまうことはない。したがって、灌水の大部分が、植物１１０の根元１１１近傍の土壌に吸収される。よって、多量の水を使用しなくて済むこととなり、灌水作業性ひいては生産性が向上する。
【００２３】
なお、フェンス１は、畝１００に植えられた植物１１０に限らず、平らな畑、庭、花壇等に植えられた植物に対しても、使用できる。
【００２４】
また、上記構成のフェンス１は、次のような利点を有している。
（ａ）フェンス本体２と留め具３とからなるだけであるので、構成が簡素であり、安価である。
【００２５】
（ｂ）フェンス本体２が波打形態を有しているので、長手方向両端部２１、２２を、波を揃えて重ね合わせることができる。その結果、重ね合わせ部分２０において両端部２１、２２が相互にずれようとするのを防止でき、重ね合わせ部分２０の安定性を向上できる。したがって、フェンス１の輪状形態の安定性を向上できる。
【００２６】
（ｃ）留め具３によって重ね合わせ部分２０を挟持した際、引掛部３２４が、重ね合わせ部分２０の上側の縁部２０２（図４）を上方から覆うように位置する。これにより、重ね合わせ部分２０が留め具３から上方に抜け出ようとするのを、防止できる。したがって、留め具３による重ね合わせ部分２０の挟持状態の安定性を、向上できる。
【００２７】
（ｄ）留め具３は、張出部３２２を指で把持して取り扱うことができる。よって、重ね合わせ部分２０への留め具３の取付作業を、容易に実行できる。
【００２８】
（ｅ）フェンス本体２は、長尺の板体であるので、任意の寸法Ｌのものを容易に採用できる。よって、種類の異なる植物１１０に、容易に対応できる。
【００２９】
なお、留め具３において、張出部３２２は、図８に示されるような捻り形態であってもよい。
【産業上の利用可能性】
【００３０】
本発明は、灌水作業性ひいては生産性を向上できるので、産業上の利用価値が大である。
【符号の説明】
【００３１】
１  灌水堰き止め用フェンス
１１０  植物
１１１  根元
１２０  水（灌水）
２  フェンス本体
２０  重ね合わせ部分
２１、２２  長手方向端部
３  留め具
３１  折り曲げ部
３２  第１脚部
３２１  第１直線部
３２２  張出部
３２３  第２直線部
３２４  引掛部
３３  第２脚部
３３１  直線本体部
３３２  傾斜部
３３３  隙間
【図１】
2020054293.tif 000003
【図２】
2020054293.tif 000004
【図３】
2020054293.tif 000005
【図４】
2020054293.tif 000006
【図５】
2020054293.tif 000007
【図６】
2020054293.tif 000008
【図７】
2020054293.tif 000009
【図８】
2020054293.tif 000010
【図９】
2020054293.tif 000011